(57)【要約】【課題】  情報表示機能を有するアクセサリを用いたアクセサリ交換式システムにおいて、よりユーザーの利便性が高いアクセサリ表示を可能にする。【解決手段】  情報を表示する表示手段を備えたアクセサリを装着可能な撮像装置は、所定の操作の状態を検出する検出手段と、アクセサリと情報を通信し、表示手段への情報の表示をアクセサリに指示する制御手段とを有する。制御手段は、表示手段に表示する情報の複数の項目の中から表示候補の項目についての情報を取得し、当該表示候補の項目についての情報およびアクセサリから受信した第１の情報に基づいて、表示手段に表示する情報の項目を決定する。表示候補の項目についての情報は、検出手段による検出結果に応じて設定された表示候補の項目および当該項目の優先度についての情報である。【選択図】  図４
2016218187.tif 000002
【特許請求の範囲】
【請求項１】
情報を表示する表示手段を備えたアクセサリを装着可能な撮像装置であって、
所定の操作の状態を検出する検出手段と、
装着されたアクセサリと情報を通信し、前記表示手段への情報の表示を前記アクセサリに指示する制御手段とを有し、
前記制御手段は、前記表示手段に表示する情報の複数の項目の中から表示候補の項目についての情報を取得し、当該表示候補の項目についての情報および前記アクセサリから受信した第１の情報に基づいて、前記表示手段に表示する情報の項目を決定し、
前記表示候補の項目についての情報は、前記検出手段による検出結果に応じて設定された表示候補の項目および当該項目の優先度についての情報であることを特徴とする撮像装置。
【請求項２】
前記制御手段は、前記表示候補の項目のうち、前記優先度が高い項目を優先して前記表示手段に表示する情報の項目を決定することを特徴とする請求項１に記載の撮像装置。
【請求項３】
前記第１の情報は、前記表示手段に表示する情報の項目についての情報であって、
前記制御手段は、前記表示候補の項目のうち、前記アクセサリから受信した前記第１の情報に含まれる項目の中から、前記表示手段に表示する情報の項目を決定することを特徴とする請求項１または２に記載の撮像装置。
【請求項４】
前記検出手段により前記所定の操作が検出されている場合、または前記所定の操作が検出されてから所定時間以内の場合、当該所定の操作に応じた項目が前記表示候補の項目に設定されることを特徴とする請求項１乃至３のいずれか１項に記載の撮像装置。
【請求項５】
複数の撮影モードを有し、
前記検出手段により前記所定の操作が検出されてから前記所定時間が経過した場合、設定されている前記撮影モードに応じた項目が前記表示候補の項目に設定されることを特徴とする請求項４に記載の撮像装置。
【請求項６】
前記所定の操作は、焦点調節、変倍、被写界深度の確認の少なくともいずれかを指示する操作であることを特徴とする請求項１乃至５のいずれか１項に記載の撮像装置。
【請求項７】
請求項１乃至６のいずれか１項に記載の撮像装置に装着可能なアクセサリであって、
前記表示手段と、
前記表示手段に表示可能な情報の項目についての情報を記憶する記憶手段と、
前記撮像装置と情報を通信し、前記表示手段の表示を制御するアクセサリ制御手段とを有し、
前記アクセサリ制御手段は、前記記憶手段に記憶されている情報から前記第１の情報を取得し、前記撮像装置に送信することを特徴とするアクセサリ。
【請求項８】
所定の機能を設定するための設定手段を有し、
前記アクセサリ制御手段は、前記設定手段により前記所定の機能が設定されているか否かに応じて、前記記憶手段に記憶されている情報に含まれる項目の中から所定の項目を限定することで、前記第１の情報を取得することを特徴とする請求項７に記載のアクセサリ。
【請求項９】
前記所定の機能は、防振機能およびマクロ機能の少なくともいずれかであることを特徴とする請求項８に記載のアクセサリ。
【請求項１０】
撮像装置に装着可能なアクセサリであって、
情報を表示する表示手段と、
前記表示手段に表示可能な情報の項目についての情報を記憶する記憶手段と、
装着された撮像装置と情報を通信し、前記表示手段の表示を制御するアクセサリ制御手段とを有し、
前記アクセサリ制御手段は、前記撮像装置から所定の操作の状態および撮影モードについての第２の情報を受信し、当該情報に応じて取得した表示候補の項目についての情報および前記記憶手段に記憶されている情報に基づいて、前記表示手段に表示する情報の項目を決定し、
前記表示候補の項目についての情報は、前記第２の情報に応じて設定された表示候補の項目および当該項目の優先度についての情報であることを特徴とするアクセサリ。
【請求項１１】
前記アクセサリ制御手段は、前記表示候補の項目のうち、前記優先度が高い項目を優先して前記表示手段に表示する情報の項目を決定することを特徴とする請求項１０に記載のアクセサリ。
【請求項１２】
所定の機能を設定するための設定手段を有し、
前記アクセサリ制御手段は、前記設定手段により前記所定の機能が設定されているか否かに応じて、前記記憶手段に記憶されている情報に含まれる項目の中から所定の項目を限定することで第１の情報を取得し、当該第１の情報および前記表示候補の項目についての情報に基づいて、前記表示手段に表示する情報の項目を決定することを特徴とする請求項１０または１１に記載のアクセサリ。
【請求項１３】
前記アクセサリ制御手段は、前記表示候補の項目のうち、前記第１の情報に含まれる項目の中から、前記表示手段に表示する情報の項目を決定することを特徴とする請求項１２に記載のアクセサリ。
【請求項１４】
前記所定の機能は、防振機能およびマクロ機能の少なくともいずれかであることを特徴とする請求項１２または１３に記載のアクセサリ。
【請求項１５】
前記第２の情報に基づいて、前記所定の操作が検出されている、または前記所定の操作が検出されてから所定時間以内であることが判定された場合、当該所定の操作に応じた項目が前記表示候補の項目に設定されることを特徴とする請求項１０乃至１４のいずれか１項に記載のアクセサリ。
【請求項１６】
前記撮像装置は複数の撮影モードを有し、
前記第２の情報に基づいて、前記所定の操作が検出されてから前記所定時間が経過したことが判定された場合、前記撮影モードに応じた項目が前記表示候補の項目に設定されることを特徴とする請求項１５に記載のアクセサリ。
【請求項１７】
前記所定の操作は、焦点調節、変倍、被写界深度の確認の少なくともいずれかを指示する操作であることを特徴とする請求項１０乃至１６のいずれか１項に記載のアクセサリ。
【請求項１８】
請求項１０乃至１７のいずれか１項に記載のアクセサリを装着可能な撮像装置であって、
前記所定の操作の状態を検出する検出手段と、
前記アクセサリと情報を通信する制御手段とを有し、
前記制御手段は、前記検出手段による検出結果に基づいて前記第２の情報を前記アクセサリに送信することを特徴とする撮像装置。
【発明の詳細な説明】
【技術分野】
【０００１】
本発明は、アクセサリを装着可能な撮像装置、及び撮像装置に装着可能なアクセサリに関する。
【背景技術】
【０００２】
従来、レンズ交換式のカメラに装着可能な交換レンズには、鏡筒部の外周に距離目盛や焦点距離目盛、画角情報が印字された部材が搭載されている。これは、現在のレンズの設定状況が一目で確認できるようにするためのものである。このように印字された部材を用いた方式では、あらかじめ印字されている特定の情報のみしか表示することができない。
【０００３】
一方で、撮影モードなどカメラの使い方が多岐化しており、撮影状況により撮影に必要な情報が異なることが想定される。そこで、ユーザーの使い勝手を良くするために、レンズの表示情報を動的に切り替え可能とすることが提案されている。
【０００４】
特許文献１では、電子ペーパあるいは液晶ディスプレイ等を用いた表示部をレンズ鏡筒に搭載し、現在設定されている交換レンズの距離情報等を表示する構成が開示されている。特許文献１では、レンズの焦点距離や被写体距離、絞り値、画角情報等の表示項目を、カメラ本体に設けられた操作部や設定メニュー、あるいは交換レンズに設けられた表示切り換えボタンの操作に応じて切り換えることが可能である。また、特許文献１では、マクロレンズ機能を使用する場合は撮影倍率の表示に、赤外撮影の場合には赤外撮影用の距離表示に切り換えることが記載されている。
【先行技術文献】
【特許文献】
【０００５】
【特許文献１】特開２００７−７２４０７号公報
【発明の概要】
【発明が解決しようとする課題】
【０００６】
上述のような情報表示機能を備えた交換レンズ等のアクセサリにおいては、ユーザーの利便性の観点から、カメラの撮影モードや操作状態等に応じた表示項目を自動で表示させることが望ましい。しかしながら、レンズ交換システムにおいては、様々な種類の交換レンズがカメラに装着され、交換レンズ毎に表示可能な項目が異なることが想定される。ゆえに、常に所望の表示項目を交換レンズが表示可能とは限らない。特許文献１の方法では、例えばカメラ側で赤外撮影を設定したとしても、レンズ側で赤外撮影用の距離表示機能を備えていない場合については考慮されていない。
【０００７】
上記課題に鑑みて、本発明は、情報表示機能を有するアクセサリを用いたアクセサリ交換式システムにおいて、よりユーザーの利便性が高いアクセサリ表示を可能にすることを目的とする。
【課題を解決するための手段】
【０００８】
上記課題を解決するために、第１の本発明は、情報を表示する表示手段を備えたアクセサリを装着可能な撮像装置であって、所定の操作の状態を検出する検出手段と、装着されたアクセサリと情報を通信し、前記表示手段への情報の表示を前記アクセサリに指示する制御手段とを有し、前記制御手段は、前記表示手段に表示する情報の複数の項目の中から表示候補の項目についての情報を取得し、当該表示候補の項目についての情報および前記アクセサリから受信した第１の情報に基づいて、前記表示手段に表示する情報の項目を決定し、前記表示候補の項目についての情報は、前記検出手段による検出結果に応じて設定された表示候補の項目および当該項目の優先度についての情報であることを特徴とする。
【０００９】
第２の本発明は、撮像装置に装着可能なアクセサリであって、情報を表示する表示手段と、前記表示手段に表示可能な情報の項目についての情報を記憶する記憶手段と、装着された撮像装置と情報を通信し、前記表示手段の表示を制御するアクセサリ制御手段とを有し、前記アクセサリ制御手段は、前記撮像装置から所定の操作の状態および撮影モードについての第２の情報を受信し、当該情報に応じて取得した表示候補の項目についての情報および前記記憶手段に記憶されている情報に基づいて、前記表示手段に表示する情報の項目を決定し、前記表示候補の項目についての情報は、前記第２の情報に応じて設定された表示候補の項目および当該項目の優先度についての情報であることを特徴とする。
【発明の効果】
【００１０】
本発明によれば、情報表示機能を有するアクセサリを用いたアクセサリ交換式システムにおいて、よりユーザーの利便性が高いアクセサリ表示が可能になる。
【図面の簡単な説明】
【００１１】
【図１】本実施形態におけるレンズ交換式のカメラレンズシステムについて説明するブロック図。
【図２】本実施形態におけるレンズユニットの構成について説明する図。
【図３】本実施形態におけるレンズ表示部に表示する切り替え可能な表示状態情報の例を示す図。
【図４】実施例１におけるデジタルカメラの処理を示すフローチャート。
【図５】実施例１におけるレンズユニットの処理を示すフローチャート。
【図６】実施例２におけるデジタルカメラの処理を示すフローチャート。
【図７】実施例２におけるレンズユニットの処理を示すフローチャート。
【図８】本実施形態における第１の表示項目データ表の一例を示す図。
【図９】本実施形態における第２の表示項目データ表の一例を示す図。
【図１０】本実施形態における表示可能情報リストの一例を示す図。
【発明を実施するための形態】
【００１２】
以下に、本発明の好ましい実施の形態を、添付の図面に基づいて詳細に説明する。図１は、本発明の実施形態にかかわるカメラレンズシステムの構成を説明する図である。
【実施例１】
【００１３】
以下、図１を参照して、本発明の第１の実施例におけるレンズ交換式のカメラレンズシステムについて説明する。
【００１４】
図１に示すように、本実施形態のデジタルカメラ１００には、レンズマウント部１０を介してレンズユニット２００が着脱可能に装着されている。デジタルカメラ１００に装着可能なレンズユニット２００内には、フォーカスレンズ２０１、ズーム制御ユニット２０２、絞り２０３等を備えて構成される撮影光学系が含まれている。なお、図１では１枚のレンズが図示されているが、複数枚のレンズから構成されるレンズ群でもよい。撮影光学系を介して入射した光線が撮像素子１０２に導かれ、撮像素子１０２に光学像として結像する。
【００１５】
デジタルカメラ１００内（撮像装置内）の撮像素子１０２は、被写体の光学像を電気信号に変換し、シャッター１０１は、撮像素子１０２への露光量を制御する。Ａ／Ｄ変換部１０３は、撮像素子１０２から出力されるアナログ信号をデジタル信号に変換する。タイミング発生部１０９は、メモリ制御部１０５およびシステム制御部１１０にクロック信号および制御信号を供給する。
【００１６】
画像処理部１０４は、Ａ／Ｄ変換部１０３からのデータあるいはメモリ制御部１０５からのデータに対して所定の画素補完処理や色変換処理を行い、画像データの生成を行う。また、画像処理部１０４では、撮像した画像データを用いて所定の演算処理を行う。得られた演算結果に基づき、システム制御部１１０が露出制御部１１９、ＡＦ制御を行うＡＦ制御部１１８に対して制御命令を通知することで、ＡＥ、ＡＦ処理を実現する。
【００１７】
メモリ制御部１０５は、Ａ／Ｄ変換部１０３、タイミング発生部１０９、画像処理部１０４、画像表示メモリ１０６、メモリ１０７、圧縮・伸長回路１０８を制御する。Ａ／Ｄ変換部１０３からの出力データが画像処理部１０４、メモリ制御部１０５を介して、画像表示メモリ１０６、メモリ１０７に書き込まれる。画像表示部１２５は、ＬＣＤなどを用いて構成され、ＥＶＦの場合は、不図示の外部表示装置や画像表示部１２５を用いて撮像した画像データを逐次表示し、ＥＶＦ機能を実現する。メモリ１０７は、撮影した静止画像や動画像を格納する。メモリ１０７は、システム制御部１１０の作業領域としても使用する。
【００１８】
撮影光学系を通過した光によって形成された被写体像は、ミラー１１２ダウン時において、ミラー１１２および１１３を介して光学ファインダ１２４により観察可能である。
【００１９】
シャッター制御部１１１は、露出制御部１１９からの測光情報に基づいて、絞り２０３を制御する絞り制御部２０８と連携しながら、シャッター１０１を制御する。
【００２０】
ＡＦ制御部１１８は、ＡＦ処理を行う。撮影光学系を介して入射した光線を一眼レフ方式によってミラー１１２および不図示の焦点検出用サブミラーを介してＡＦ制御部１１８内の焦点検出部に入射させる。これにより、焦点検出部において光学像として結像された画像の合焦状態を測定する、いわゆる位相差検出方式のＡＦ制御を行うことができる。ＥＶＦの場合、画像処理部１０４で生成した画像データのコントラスト成分に基づいてＡＦを行うコントラスト検出方式のＡＦ処理や、撮像素子１０２に埋め込まれたＡＦ用の画素から出力された信号を用いた位相差検出方式によるＡＦ処理を行う。
【００２１】
露出制御部１１９は、ＡＥ処理を行う。撮影光学系を介して入射した光線を一眼レフ方式によってミラー１１２および１１３を介して露出制御部１１９の測光部に入射させて測光情報を得ることにより、露出制御部１１９は、光学像として結像された画像の露出状態を測定することができる。ＥＶＦの場合は、画像処理部１０４で生成された画像からシステム制御部１１０にて露出制御を行う。
【００２２】
露出制御部１１９は複数の測光モードを備えており、後述する操作部１１６によってユーザーが設定する測光モードで動作する。測光モードとしては、例えば、画面内の任意の領域に重みづけする評価測光モード、画面全体の明るさを平均して測光し露出量を制御する平均測光モードなどがあげられる。
【００２３】
システム制御部１１０は、デジタルカメラ全体の制御を司り、カメラ制御プログラムを実行する。シャッタースイッチ（ＳＷ１）１１４が操作されると、ＡＦ処理、ＡＥ処理、ＡＷＢ処理などの動作開始をシステム制御部１１０に指示する。シャッタースイッチ（ＳＷ２）１１５が操作されると、撮像素子１０２から読み出した信号をＡ／Ｄ変換部１０３、メモリ制御部１０５を介してメモリ１０７に書き込む露光処理を行う。また、ＳＷ２の操作に応じて、画像処理部１０４により画像データの記録処理の動作が開始される。生成された画像データは、外部メモリなどの記録部１２２に記録される。
【００２４】
操作部１１６は、各種ボタンやタッチパネル、電源オンオフボタンなどからなり、ユーザー操作により受け付けた指示をシステム制御部１１０に出力する。この操作部１１６でのユーザー操作により、上述した測光モードを、平均測光モード、評価測光モードなどに切り替えることが可能である。これら操作部１１６を介した入力操作を受けて、システム制御部１１０は、カメラが備える各種撮影モード、たとえば静止画撮影モード／動画撮影モードの切り替えを行う。あるいは、ポートレイトモード、夜景モード、クローズアップモードなどの特殊シーン撮影モードの選択や、サーボＡＦなどのＡＦモードの切り替え操作に応じたカメラ制御を実行する。
【００２５】
本実施例において、システム制御部１１０は、操作部１１６を介してカメラの撮影モードの切り替えや所定の操作を検知すると、表示情報記憶部１２３から現在の撮影モードや所定の操作に応じた複数の表示情報候補を読み出す。ここでの所定の操作とは、ユーザーがまさに撮影しようとするときの操作を指し、ＡＦボタン押下や、被写界深度を確認するための絞り込みボタン押下、フォーカス操作（焦点調節操作）、ズーム操作（変倍操作）を含むが、これら以外の操作を含んでもよい。表示情報候補の読み出しについては、詳細を後述する。
【００２６】
シャッタースイッチＳＷ１もしくは操作部１１６の操作に応じて、システム制御部１１０は、ＡＦ動作を開始するようＡＦ制御部１１８を制御する。ＡＦ動作のモードとして、ＳＷ１がＯＮになったタイミングからＡＦ動作を開始するワンショットＡＦモード、ＳＷ１がＯＮになる前からＡＦ動作を開始するコンティニュアスＡＦモードなどがある。また、フォーカス対象を画面内の１つの領域に限定するＡＦ枠固定モード、フォーカス対象を画面内の全体とする自動選択モード、画面内に存在する顔を検出して検出した顔をフォーカス対象とする顔検出モードを切り替えることが可能である。
【００２７】
カメラ内のＩ／Ｆ１２０およびレンズ内のＩ／Ｆ２１０は、デジタルカメラ１００とレンズユニット２００とを接続するためのインタフェースである。コネクタ２０を介してカメラ内のシステム制御部１１０とレンズ制御部２０５との間で電気信号を送ることで、制御情報や各種データ等を送受信することが可能となっている。
【００２８】
レンズ電源制御部１２１は、レンズユニット２００へ供給する電源を管理する。レンズ電源制御部１２１は、システム制御部１１０がレンズユニット２００の装着を検出したらレンズ電源の供給を行い、レンズユニット２００が取り外されたらレンズ電源の供給を遮断する。
【００２９】
カメラ電源制御部１１７は、外部電池や内蔵電池の管理を行う。電池が取り外された場合や電池残量がなくなった場合、カメラ電源制御部１１７は、カメラ制御の緊急遮断処理を行う。このとき、レンズ電源制御部１２１では、レンズユニット２００に供給する電源を遮断する。また、操作部１１６で電源オフ操作がなされた場合、システム制御部１１０は、レンズユニット２００を低消費モードに切り替えるための要求をＩ／Ｆ１２０を介してレンズ制御部２０５に通信する。
【００３０】
次に、レンズユニット２００内の構成について説明する。絞り制御部２０８は、露出制御部１１９もしくはＥＶＦ時はシステム制御部１１０からの測光情報により演算した結果に基づいて得られた絞り制御情報を用いて、絞り２０３を制御する。絞り制御情報は、システム制御部１１０からコネクタ２０を介して受信される。ズーム制御部２０７は、ズーム制御ユニット２０２を制御する。フォーカス制御部２０６は、システム制御部１１０から受信したフォーカス制御情報に基づいて、フォーカスレンズ２０１の移動を制御する。フォーカス制御情報は、上述した位相差検出方式やコントラスト検出方式の焦点検出により生成される。防振制御部２０９は、防振制御レンズ２０４を制御する。
【００３１】
レンズ制御部２０５（アクセサリ制御手段）は、レンズユニット２００全体の制御を司る。本実施例のレンズユニット２００には、たとえば液晶部材などの表示情報を切り替え可能なレンズ表示部２１３を備えている。表示制御回路２１２は、レンズ表示部２１３における表示のオンオフおよび起動時の表示を制御する。表示制御回路２１２への指示はレンズ制御部２０５が行う。また、レンズユニット２００には操作部２１１を備え、操作部２１１を介して操作を行うことにより、レンズ表示部２１３の表示情報を切り替えることが可能である。
【００３２】
また、レンズユニット２００には、表示情報記憶部２１４を備えている。本実施例では、レンズ制御部２０５はＩ／Ｆ２１０を介して表示可能な表示情報リスト取得要求を受信すると、表示情報記憶部２１４から表示可能情報リストを読み出し、Ｉ／Ｆ２１０を介してカメラに読み出した表示可能情報リストを送信する。
【００３３】
次に、図２を参照して、本実施例におけるレンズユニット２００の構成について説明する。レンズユニット２００には、各種操作部材および表示部材が備えられている。
【００３４】
ズームリング２１５は、レンズユニット２００のズーム機構を手動で操作するための部材である。フォーカスリング２１６は、レンズユニット２００のフォーカス機構を手動で操作するためのフォーカスリングである。レンズ表示部２１３は、液晶モニターなどを用いて構成され、表示情報を可変に切り替えることが可能な表示部材である。なお、レンズ表示部２１３を構成する部材は、液晶に限定されず、例えば有機ＥＬディスプレイなどを用いてもよい。ＡＦ／ＭＦスイッチ２１７は、ＡＦとフォーカスリング２１６によるＭＦとを切り替えるためのスイッチである。
【００３５】
防振スイッチ２１８は、防振機能のオンオフ切り替えに加えて、各種防振モードの切り替えを可能とするためのスイッチである。
【００３６】
マクロスイッチ２１９は、マクロ撮影のオンオフを切り替えることを可能とするためのスイッチである。マクロスイッチ２１９を押下したままフォーカスリング２１６を回転させることでマクロ撮影をオンにすることができる。
【００３７】
操作部２１１は、レンズ表示部２１３に表示している情報を切り替えるためのボタンスイッチである。なお、操作部２１１を構成する部材はボタンスイッチに限定されず、例えばダイヤル部材などを用いて構成してもよい。
【００３８】
次に、図３を参照して、本実施例におけるレンズ表示部２１３に表示する切り替え可能な表示状態情報の例を示す。
【００３９】
表示３００は、焦点距離情報を表示している状態である。焦点距離を示す目盛りを設けた表示にしてもよいし、焦点距離の数値をデジタル数値で表現してもよい。表示３０１は、被写界深度情報を表示している状態である。例えば絞りがＦ１１、Ｆ１６、Ｆ２２などに設定された場合の被写界深度の目盛りが示されている。表示３０２は、被写体距離情報を表示している状態であり、被写体距離の数値が表示される。
【００４０】
表示３０３は、マクロ機能を使用した場合の撮影倍率情報を表示している状態である。表示３０４は、手振れ情報を表示している状態であり、検出された手振れの量や方向などを表示する。なお、防振スイッチ２１８にて設定された防振モードに応じて表示情報をさらに切り替えてもよい。これらの表示メニューの切り替えは、ユーザーによる操作部２１１を介した操作、もしくはカメラからの指示によって行われる。
【００４１】
本実施例におけるデジタルカメラ１００の処理フローについて図４を参照して説明する。システム制御部１１０は、操作部１１６を介してユーザーにより撮影モードの変更や前述した所定の操作が行われたことを検出すると、ステップＳ４００に遷移する。
【００４２】
ステップＳ４００では、システム制御部１１０は、操作部１１６の操作状態を検出した検出結果に基づいて、現在ユーザーによって所定の操作が行われているか、もしくは所定の操作が行われてから所定時間以内かを判定する。現在ユーザーによって所定の操作が行われているか、もしくは所定の操作が行われてから所定時間以内の場合はステップＳ４０１に遷移する。一方、所定の操作が行われてから所定時間が経過している場合はステップＳ４０２に遷移する。なお、本実施例では所定時間を５秒として説明するが、所定時間はこれに限定されるものではない。
【００４３】
ステップＳ４０１にて、システム制御部１１０は、表示情報記憶部１２３から第１の表示項目データ表８００を読み出す。図８は、第１の表示項目データ表８００の一例を示す図である。第１の表示項目データ表８００には、所定の操作毎にレンズ表示部２１３に表示すべき表示情報の候補が優先度とともに含まれている。表示情報の候補と優先度は、所定の操作毎にユーザーが所望する表示情報が異なることを考慮して予め設定されるものである。図８の例では、優先度の数値が小さいほど、より表示の優先度が高いことを示している。システム制御部１１０は、第１の表示項目データ表８００から所定の操作に対応する表示情報候補を特定する。例えば、絞り込みボタンが押下された場合には、「絞り込みボタン押下」に対応した表示情報候補８０１が表示情報候補に該当する。表示情報候補が選択されると、ステップＳ４０３に遷移する。
【００４４】
一方、ステップＳ４０２に進んだ場合、システム制御部１１０は、表示情報記憶部１２３から第２の表示項目データ表９００を読み出す。図９は、第２の表示項目データ表９００の一例を示す図である。第２の表示項目データ表９００には、撮影モード毎にレンズ表示部２１３に表示すべき表示情報の候補が優先度とともに含まれている。表示情報の候補と優先度は、撮影モード毎にユーザーが所望する表示情報が異なることを考慮して予め設定されるものである。図９の例では、優先度の数値が小さいほど、より表示の優先度が高いことを示している。システム制御部１１０は、第２の表示項目データ表９００から、設定されている撮影モードに対応する表示情報候補を特定する。例えば、撮影モードが動画モードのときには、表示情報候補９０１を表示情報候補として選択する。表示情報候補が選択されると、ステップＳ４０３に遷移する。
【００４５】
ステップＳ４０３にて、システム制御部１１０は、レンズユニット２００に対して、表示可能情報リスト取得要求を送信する。ステップＳ４０４にて、システム制御部１１０は、ステップＳ４０３で送信した表示可能情報リスト取得要求に対する応答として、表示可能情報リスト１００１を受信する。
【００４６】
図１０（ｂ）は、ステップＳ４０４でシステム制御部１１０がレンズユニット２００から受信する表示可能情報リスト１００１の一例を示す図である。ステップＳ４０５にて、システム制御部１１０は、ステップＳ４０１またはＳ４０２で選択した表示情報候補の中から、表示可能情報リスト１００１に含まれるもののうち、最も優先度が高いものを特定し、表示情報を決定する。図１０（ｂ）の例では、「被写体距離情報」が最も優先度が高いものに該当する。
【００４７】
ステップＳ４０６にて、システム制御部１１０は、レンズユニット２００に対して表示情報切り替え指示を送信する。ここでは、ステップＳ４０５で決定した表示情報（図１０（ｂ）の例では「被写体距離情報」）についての情報を送信し、当該表示情報への切り替えを指示する。
【００４８】
なお、ステップＳ４０５にて、ステップＳ４０１またはＳ４０２で選択した表示情報候補の中に、ステップＳ４０４で受信した表示可能情報リスト１００１に含まれるものがなかった場合、ステップＳ４０６に進まずにフローを終了する。
【００４９】
このように、本実施例では、システム制御部１１０は、所定の操作または撮影モードに応じて、表示候補の項目を選択する。そして、選択された表示候補の項目と、レンズユニット２００から受信する表示可能な項目の情報（表示可能情報リスト１００１）に基づいて、システム制御部１１０が表示する項目を決定する。
【００５０】
次に、本実施例におけるレンズユニット２００の処理フローについて図５を参照して説明する。レンズ制御部２０５は、Ｉ／Ｆ１２０を介してデジタルカメラ１００から通信が発生したことを検出すると、ステップＳ５０１に進む。
【００５１】
ステップＳ５０１にて、レンズ制御部２０５は、デジタルカメラ１００からの表示可能情報リスト取得要求（ステップＳ４０３に対応）を受信する。ステップＳ５０２にて、レンズ制御部２０５は、表示情報記憶部２１４から表示可能情報リスト１０００を読み出す。図１０（ａ）は、表示可能情報リスト１０００の一例を示す図である。表示可能情報リスト１０００には、レンズ表示部２１３に表示可能な表示情報が含まれている。
【００５２】
ステップＳ５０３にて、レンズ制御部２０５は、防振機能が有効か否かを判定する。防振機能が有効か否かは、防振スイッチ２１８の状態によって判定される。防振機能が無効であればステップ５０４に、防振機能が有効であればステップＳ５０５に進む。
【００５３】
ステップＳ５０４にて、レンズ制御部２０５は、ステップＳ５０２で読み出した表示可能情報リスト１０００から手振れ情報を除外する。
【００５４】
ステップＳ５０５にて、レンズ制御部２０５は、マクロ機能が有効か否かを判定する。マクロ機能が有効か否かは、マクロスイッチ２１９の状態によって判定される。マクロ機能が無効であればステップＳ５０６に進み、マクロ機能が有効であればステップＳ５０７に進む。
【００５５】
ステップＳ５０６にて、レンズ制御部２０５は、ステップＳ５０２で読み出した表示可能情報リスト１０００から撮影倍率情報を除外する。防振機能とマクロ機能がともに無効の場合、ステップＳ５０４およびステップＳ５０６を経た結果、図１０（ｂ）の表示可能情報リスト１００１が得られる。
【００５６】
ステップＳ５０７にて、レンズ制御部２０５は、Ｉ／Ｆ２１０を介してデジタルカメラ１００に対して表示可能情報リスト１００１を送信する。ここで送信した表示可能情報リスト１００１は、前述したステップＳ４０５においてデジタルカメラ１００で受信される。
【００５７】
ステップＳ５０８にて、レンズ制御部２０５は、Ｉ／Ｆ２１０を介してデジタルカメラ１００から表示情報指示（ステップＳ４０６に対応）を受信する。図１０（ｂ）の例では、「被写体距離情報」への表示切り替えの指示を受信する。ステップＳ５０９にて、レンズ制御部２０５は表示制御回路２１２に表示指示を通知し、レンズ表示部２１３に表示情報を表示する。具体的には、「被写体距離情報」を表示する。
【００５８】
なお、ステップＳ５０９でデジタルカメラ１００からの指示に基づく表示情報を表示したとしても、図３で説明したように、操作部２１１を介してレンズ表示部２１３に表示する情報の項目を切り替えることができる。
【００５９】
このように、本実施例では、レンズユニット２００で所定の機能（ここでは、防振機能やマクロ機能）が有効に設定されているか否かに応じて、表示可能な項目の情報（表示可能情報リスト１０００）の中からレンズ制御部２０５が表示候補を限定する。そして、限定された表示候補の項目の情報（表示可能情報リスト１００１）をデジタルカメラ１００に送信する。
【００６０】
本実施例では、撮影モードとして、ポートレイトモード、夜景モード、動画モード、クローズアップモードを挙げたが、これらに限定されない。また、表示可能情報として、焦点距離、被写界深度情報、被写体距離情報、焦点距離情報、手振れ情報を挙げたが、これらに限定されない。
【００６１】
以上説明したように、本実施例では、デジタルカメラ１００の撮影モードや操作状態、レンズユニット２００で設定される所定の機能の設定状態に応じた項目の表示を、デジタルカメラ１００からレンズユニット２００に指示する。そして、指示された項目の情報をレンズユニット２００のレンズ表示部２１３に表示する。これにより、情報表示するレンズユニットの種類に依らず、ユーザーが表示情報を選択するための特別な操作を行わなくても、必要とする（可能性が高い）情報を表示することが可能となる。
【実施例２】
【００６２】
次に、第２の実施例について説明する。実施例１では、デジタルカメラ１００がレンズユニット２００に表示情報の指示を送信することで、レンズ表示部２１３に表示すべき情報の項目を指示する場合について説明した。それに対して、本実施例では、デジタルカメラ１００が操作状態および撮影モードをレンズユニット２００に送信し、レンズユニット２００にて表示情報の項目を特定して、レンズ表示部２１３に表示する。
【００６３】
デジタルカメラ１００およびレンズユニット２００の構成について、実施例１と共通する部分については説明を省略する。本実施例では、図１にて、デジタルカメラ１００は表示情報記憶部１２３を備える必要がない。また、実施例１では表示情報記憶部１２３に記憶されていた第１の表示項目データ表８００および第２の表示項目データ表９００は、レンズユニット２００内の表示情報記憶部２１４に記憶されている。
【００６４】
本実施例におけるデジタルカメラ１００の処理フローについて図６を参照して説明する。システム制御部１１０は、操作部１１６を介して所定の操作や撮影モードの変更が行われたことを検知すると、ステップＳ６０１に進む。ステップＳ６０１にて、システム制御部１１０は、撮影モードと操作の状態（所定の操作の検出状態）についての情報をＩ／Ｆ２１０を介してレンズユニット２００に送信する。
【００６５】
次に、本実施例におけるレンズユニット２００の処理フローについて図７を参照して説明する。レンズ制御部２０５は、カメラ１００からＩ／Ｆ１２０を介してデジタルカメラ１００から通信が発生したことを検出すると、ステップＳ７０１に進む。
【００６６】
ステップＳ７０１にて、レンズ制御部２０５は、デジタルカメラ１００から操作状態および撮影モードについての情報（ステップＳ６０１に対応）を受信する。
【００６７】
ステップＳ７０２〜Ｓ７０６の処理は、図５のステップＳ５０２〜Ｓ５０６の処理と同様である。ステップＳ７０２にて、レンズ制御部２０５は、表示情報記憶部２１４から表示可能情報リスト１０００を読み出す。
【００６８】
ステップＳ７０３にて、レンズ制御部２０５は、防振機能が有効か否かを判定する。防振機能が無効であればステップ７０４に、有効であればステップＳ７０５に進む。ステップＳ７０４にて、レンズ制御部２０５は、ステップＳ７０２で読み出した表示可能情報リスト１０００から手振れ情報を除外する。
【００６９】
ステップＳ７０５にて、レンズ制御部２０５は、マクロ機能が有効か否かを判定する。マクロ機能が無効であればステップＳ７０６に進み、マクロ機能が有効であればステップＳ７０７に進む。ステップＳ７０６にて、レンズ制御部２０５は、ステップＳ７０２で読み出した表示可能情報リスト１０００から撮影倍率情報を除外する。防振機能とマクロ機能がともに無効の場合、ステップＳ７０４およびＳ７０６を経た結果、図１０（ｂ）の表示可能情報リスト１００１を得る。
【００７０】
次にステップＳ７０７にて、レンズ制御部２０５は、ステップＳ７０１でデジタルカメラ１００から受信した撮影モードと操作状態の情報に基づいて、所定の操作中もしくは所定の操作から所定時間以内かを判定する。現在ユーザーによって所定の操作が行われているか、もしくは所定の操作が行われてから所定時間以内の場合はステップＳ７０８に遷移する。一方、所定の操作が行われてから所定時間が経過している場合はステップＳ７０９に遷移する。なお、本実施例では所定時間を５秒として説明するが、所定時間はこれに限定されるものではない。
【００７１】
ステップＳ７０８にて、レンズ制御部２０５は、表示情報記憶部２１４から第１の表示項目データ表８００を読み出す。そして、レンズ制御部２０５は、第１の表示項目データ表８００から所定の操作に対応する表示情報候補を特定する。例えば、デジタルカメラ１００から絞り込みボタンが押下されたことを示す情報を受信した場合には、「絞り込みボタン押下」に対応した表示情報候補８０１が表示情報候補に該当する。表示情報候補が選択されると、ステップＳ７１０に遷移する。
【００７２】
一方、ステップＳ７０９に進んだ場合、レンズ制御部２０５は、表示情報記憶部２１４から第２の表示項目データ表９００を読み出す。そして、レンズ制御部２０５は、第２の表示項目データ表９００から、デジタルカメラ１００から受信した撮影モードに対応する表示情報候補を特定する。例えば、撮影モードが動画モードのときには、表示情報候補９０１を表示情報候補として選択する。表示情報候補が選択されると、ステップＳ７１０に遷移する。
【００７３】
ステップＳ７１０にて、レンズ制御部２０５は、ステップＳ７０８またはＳ７０９で選択した表示情報候補の中から、表示可能情報リスト１００１に含まれるもののうち、最も優先度が高いものを特定し、表示情報を決定する。図１０（ｂ）の例では、「被写体距離情報」が最も優先度が高いものに該当する。
【００７４】
ステップＳ７１１にて、レンズ制御部２０５は、表示制御回路２１２に表示指示を通知し、レンズ表示部２１３にステップＳ７１０で決定した表示情報（図１０（ｂ）の例では「被写体距離情報」）を表示する。
【００７５】
なお、ステップＳ７１１において、ステップＳ７１０で決定した表示情報を表示したとしても、図３で説明したように、操作部２１１を介してレンズ表示部２１３に表示する情報の項目を切り替えることができる。この場合、切り替え可能な表示項目を、表示可能情報リスト１００１に含まれる表示項目のうち、ステップＳ７０８またはＳ７０９で選択した表示情報候補に含まれるものに限定してもよい。また、ステップＳ７０８またはＳ７０９で選択した表示情報候補の優先度に基づいて表示項目を切り替えてもよい。
【００７６】
また、本実施例ではデジタルカメラ１００がレンズユニット２００に明示的に操作状態および撮影モードを送信するものとして説明したが、この例に限定されない。例えば、デジタルカメラ１００からレンズユニット２００に送信されるフォーカス制御情報や絞り制御情報をもとに、レンズユニット２００がデジタルカメラ１００の操作状態や撮影モードを推定してもよい。
【００７７】
以上説明したように、本実施例では、デジタルカメラ１００の撮影モードや操作状態、レンズユニット２００における所定の機能の設定状態に応じた表示項目を、レンズユニット２００で判定する。そして、判定された項目の情報をレンズユニット２００のレンズ表示部２１３に表示する。これにより、本実施例においても、情報表示するレンズユニットの種類に依らず、ユーザーが表示情報を選択するための特別な操作を行わなくても、必要とする（可能性が高い）情報を表示することが可能となる。なお、本実施例では、デジタルカメラ１００に第１の表示項目データ表８００や第２の表示項目データ表９００を保持する必要がないため、デジタルカメラ１００に表示情報記憶部１２３を備える必要がない。
【００７８】
以上説明した実施例では、レンズ表示部２１３を備えたレンズユニット２００を例にして説明したが、レンズユニットに限らず、表示部を備えるストロボ等のカメラアクセサリにおける情報表示にも本発明を適用可能である。
【００７９】
以上、本発明の好ましい実施形態について説明したが、本発明はこれらの実施形態に限定されず、その要旨の範囲内で種々の変形及び変更が可能である。
【符号の説明】
【００８０】
１００  デジタルカメラ
１１０  システム制御部
１１６  操作部
１２３  表示情報記憶部
２００  レンズユニット
２０５  レンズ制御部
２１１  操作部
２１２  表示制御回路
２１３  レンズ表示部
２１４  表示情報記憶部
【図１】
2016218187.tif 000003
【図２】
2016218187.tif 000004
【図３】
2016218187.tif 000005
【図４】
2016218187.tif 000006
【図５】
2016218187.tif 000007
【図６】
2016218187.tif 000008
【図７】
2016218187.tif 000009
【図８】
2016218187.tif 000010
【図９】
2016218187.tif 000011
【図１０】
2016218187.tif 000012